(57)【要約】【課題】ユーザの現時刻での要求に応じて、ユーザの状況や嗜好に適した情報を、ユーザの携帯端末に配信できるようにする。【解決手段】受信サーバ１５は、ユーザの携帯端末５０から、インターネット１１０を介して要求項目情報を受信する。広告識別情報部分集合抽出部１２は、要求項目情報に基づいて、広告識別情報データベース２０から広告識別情報部分集合を絞り込んで抽出する。条件判定部３０７は、識別情報抽出サーバ１０から転送された広告識別情報部分集合に基づいて、配信条件が受信条件に適合する広告識別情報を抽出し、広告識別情報下位部分集合を生成する。広告識別情報下位部分集合に基づいて、広告リスト生成部３０８は広告リスト情報を生成し、広告実体情報抽出部３０９は広告実体情報を抽出する。そして、配信情報生成部３１０は、広告リスト情報及び広告実体情報に基づいて配信情報を生成する。【選択図】  図２
2004192284.tif 000002
【特許請求の範囲】
【請求項１】
情報提供者がユーザに提供することを希望する情報である提供情報を記憶する情報記憶手段と、
ユーザが使用する携帯端末から、通信ネットワークを介して、ユーザが配信を要求する情報の分類を示す分類情報を受信する分類情報受信手段と、
前記分類情報に適合する提供情報を前記情報記憶手段から絞り込む情報絞込手段と、
前記情報絞込手段によって絞り込まれた提供情報を対象として、情報提供者が提供情報の配信に関して希望する条件である配信希望条件と提供情報を配信するか否か決定する条件である配信決定条件とを比較し、前記配信決定条件に前記配信希望条件が適合する提供情報を適合提供情報として抽出する情報抽出手段と、
前記情報抽出手段によって抽出された前記適合提供情報を、通信ネットワークを介して前記携帯端末に送信する情報送信手段とを
備えたことを特徴とする情報配信システム。
【請求項２】
配信希望条件は、情報提供者が配信を希望する時間と、情報提供者が配信を希望する地域と、配信する情報の種類とを含み、
配信決定条件は、現時刻の時間と、携帯端末の位置と、携帯端末のユーザが好む情報の種類とに関する情報を含み、
情報抽出手段は、前記情報提供者が配信を希望する時間と前記現時刻の時間との比較、前記情報提供者が配信を希望する地域と前記携帯端末の位置との比較、または前記配信する情報の種類と前記携帯端末のユーザが好む情報の種類との比較のうち、少なくとも１つの比較の結果によって、前記配信決定条件に前記配信希望条件が適合するか否かを判定する
請求項１記載の情報配信システム。
【請求項３】
提供情報に関する詳細な情報である詳細提供情報を記憶する詳細情報記憶手段と、
前記詳細情報記憶手段が記憶する詳細提供情報を抽出する詳細情報抽出手段とを備え、
前記詳細情報抽出手段は、情報抽出手段が抽出した適合提供情報に対応する詳細提供情報を前記詳細情報記憶手段から抽出し、
情報送信手段は、情報抽出手段が抽出した適合提供情報とともに、前記詳細情報抽出手段が抽出した詳細提供情報を、通信ネットワークを介して携帯端末に送信する
請求項２記載の情報配信システム。
【請求項４】
情報提供者が使用する情報提供者端末から、通信ネットワークを介して提供情報と詳細提供情報とを受信する提供情報受信手段と、
受信した提供情報に基づいて、情報記憶手段が記憶する情報を更新する提供情報更新手段と、
受信した詳細提供情報に基づいて、詳細情報記憶手段が記憶する情報を更新する詳細情報更新手段とを備えた
請求項３記載の情報配信システム。
【請求項５】
提供情報受信手段は、時間の経過に従って内容が変化する動的な情報を含む提供情報または詳細提供情報を、通信ネットワークを介して情報提供者端末から受信する請求項４記載の情報配信システム。
【請求項６】
提供情報受信手段は、情報提供者がユーザに優先的に配信することを希望する旨の優先情報を含む提供情報を、通信ネットワークを介して情報提供者端末から受信し、
情報抽出手段は、提供情報が前記優先情報を含む場合には、配信希望条件と配信決定条件とを比較して条件が適合するか否かを判定する際の判定基準を緩和する
請求項４または請求項５記載の情報配信システム。
【請求項７】
情報抽出手段は、配信希望条件と配信決定条件とを比較する際に、配信する情報の種類と携帯端末のユーザが好む情報の種類との比較を行わないことによって、配信希望条件と配信決定条件とが適合するか否かの判定基準を緩和する請求項６記載の情報配信システム。
【請求項８】
ユーザが使用する携帯端末に、情報提供者がユーザに提供することを希望する情報である提供情報を配信する情報配信方法であって、
前記携帯端末から、通信ネットワークを介して、ユーザが配信を要求する情報の分類を示す分類情報を受信するステップと、
前記分類情報に適合する提供情報を絞り込むステップと、
絞り込まれた提供情報を対象として、情報提供者が提供情報の配信に関して希望する条件である配信希望条件と提供情報を配信するか否か決定する条件である配信決定条件とを比較し、前記配信決定条件に前記配信希望条件が適合する提供情報を適合提供情報として抽出するステップと、
抽出した前記適合提供情報を、通信ネットワークを介して前記携帯端末に送信するステップとを含む
ことを特徴とする情報配信方法。
【請求項９】
ユーザが使用する携帯端末に、情報提供者がユーザに提供することを希望する情報である提供情報を配信するための情報配信プログラムであって、
コンピュータに、
前記携帯端末から、通信ネットワークを介して、ユーザが配信を要求する情報の分類を示す分類情報を受信する処理と、
前記分類情報に適合する提供情報を絞り込む処理と、
絞り込まれた提供情報を対象として、情報提供者が提供情報の配信に関して希望する条件である配信希望条件と提供情報を配信するか否か決定する条件である配信決定条件とを比較し、前記配信決定条件に前記配信希望条件が適合する提供情報を適合提供情報として抽出する処理と、
抽出した前記適合提供情報を、通信ネットワークを介して前記携帯端末に送信する処理とを
実行させるための情報配信プログラム。
【発明の詳細な説明】
【０００１】
【発明の属する技術分野】
本発明は、携帯端末に情報を配信する情報配信システム、情報配信方法、及び情報配信プログラムに関する。
【０００２】
【従来の技術】
ユーザの状況や嗜好に適した情報を配信する情報配信システムとして、非特許文献１には、プッシュ型のＴＰＯＣＡＳＴ（パーソナライズ情報配信プラットフォーム）が記載されている。非特許文献１に記載されたプッシュ型ＴＰＯＣＡＳＴでは、時間Ｔ（Ｔｉｍｅ）、位置Ｐ（Ｐｏｓｉｔｉｏｎ）、嗜好Ｏ（Ｏｃｃａｓｉｏｎ）の３つの属性（以下、ＴＰＯ属性と記す）の概念を導入し、ユーザと配信コンテンツとのＴＰＯ属性の条件が適合するか否かを判定する。プッシュ型ＴＰＯＣＡＳＴでは、ユーザのＴＰＯ属性として、現在時間（Ｔ）、現在位置（Ｐ）及びユーザ嗜好（Ｏ）を規定する。また、コンテンツ側のＴＰＯ属性として、配信期間または時間（Ｔ）、配信地域（Ｐ）及び配信対象ユーザ層の特性（Ｏ）を規定する。
【０００３】
サーバは、ユーザのクライアントの状況をモニタし、規定のタイミングでユーザのＴＰＯ属性とコンテンツ側のＴＰＯ属性との条件が適合するか否か判断し、配信するコンテンツの絞り込みを行う。そして、サーバは、選択したコンテンツをユーザのクライアントに自動的に配信する。
【０００４】
また、特許文献１には、移動端末装置に対してユーザの所望条件に適合した情報を効率よく配信することができる情報配信システムが記載されている。特許文献１に記載された情報配信システムでは、情報サーバは、ユーザの移動端末装置からユーザの現在位置や嗜好条件の情報を受信する。そして、情報サーバは、位置条件や嗜好条件に適合する広告情報を検索して選択し、選択した広告情報を移動端末装置に送信する。
【０００５】
【特許文献１】
特開２００２−０８２８６３号公報（第８−１７頁、第１，８図）
【非特許文献１】
小川隆一、外３名，「パーソナライズ情報配信プラットフォーム「ＴＰＯＣＡＳＴ」」，ＮＥＣ技報，日本電気株式会社，２００１年７月２５日，第５４巻，第７号，ｐ．９６−９９
【０００６】
【発明が解決しようとする課題】
非特許文献１に記載されたプッシュ型ＴＰＯＣＡＳＴでは、サーバが規定のタイミングでＴＰＯ属性の条件が適合するか否かの判断を行って、配信するコンテンツの絞り込みを行っているにすぎない。すなわち、サーバは、時々刻々と変化するユーザの状況に応じたコンテンツの絞り込みを行っていない。従って、選択されたコンテンツがユーザの現時刻の要求とは異なるものである場合があり、ユーザにとって不必要な情報をクライアントに配信する場合がある。
【０００７】
例えば、レストラン情報に関するコンテンツ側のＴＰＯ属性の配信時間として「１２時から１３時の間」と規定されている場合には、サーバは、１２時を過ぎるとユーザのクライアントにレストラン等のコンテンツを配信する。ユーザが１２時前に食事を済ませて、午後からレジャー施設を利用したい場合を考える。サーバは、ユーザが既に食事を済ませたという状況を考慮せず、規定のＴＰＯ属性の条件が適合するか否かの判断のみを行ってコンテンツを配信する。従って、１２時を過ぎた後にユーザにとって不必要なレストラン等の情報が配信され、ユーザが現時刻で必要としているレジャー施設等の情報が殆ど配信されなくなる場合がある。
【０００８】
また、プッシュ型ＴＰＯＣＡＳＴによれば、ユーザの状況や嗜好に適した情報として、店舗の営業時間、キャンペーン期間、店舗位置等の時間的に固定的な静的情報をユーザの携帯端末に配信することはできる。しかし、サーバに予め登録された情報を配信するので、店舗が現時刻に販売したい商品や提供したいサービス等の時々刻々と内容が変化する動的な情報を配信することはできない。さらに、これら動的な情報がサーバに入力されても、ユーザとコンテンツ側とのＴＰＯ属性の条件が適合するか否かの判断基準を厳格に適用すると、これら動的な情報が選択されない場合がある。従って、これら動的な情報がユーザのクライアントに配信されない場合がある。
【０００９】
また、特許文献１に記載された情報配信システムによれば、位置条件や嗜好条件に適合する広告情報等をユーザの移動端末装置に送信することはできる。しかし、予め登録された嗜好条件の情報等に基づいて情報を抽出しているにすぎない。従って、ユーザの現時刻の要求とは異なる情報を抽出する場合があり、ユーザにとって不必要な情報をユーザの移動端末装置に配信する場合がある。
【００１０】
そこで、本発明は、ユーザの現時刻での要求に応じて、ユーザの状況や嗜好に適した情報を、ユーザの携帯端末に配信できるようにすることを目的とする。また、情報提供者が現時刻にユーザに提供することを希望する情報を、優先的にユーザの携帯端末に配信されやすくなるようにすることを目的とする。
【００１１】
【課題を解決するための手段】
本発明による情報配信システムは、情報提供者がユーザに提供することを希望する情報である提供情報（例えば、図５に示す広告識別情報）を記憶する情報記憶手段（例えば、広告識別情報データベース２０によって実現される）と、ユーザが使用する携帯端末（例えば、携帯端末５０）から、通信ネットワークを介して、ユーザが配信を要求する情報の分類（大まかな分類または詳細な分類。例えば、図３に示す要求項目。）を示す分類情報を受信する分類情報受信手段（例えば、受信サーバ１５によって実現される）と、分類情報に適合する提供情報を情報記憶手段から絞り込む情報絞込手段（例えば、広告識別情報部分集合抽出部１２によって実現される）と、情報絞込手段によって絞り込まれた提供情報を対象として、情報提供者が提供情報の配信に関して希望する条件である配信希望条件（例えば、図５に示す希望配信時間、希望配信地域、及び広告分類情報）と提供情報を配信するか否か決定する条件である配信決定条件（例えば、図６に示す現在の時間、現在の位置、及び嗜好情報）とを比較し、配信決定条件に配信希望条件が適合する提供情報を適合提供情報（例えば、広告識別情報下位部分集合）として抽出する情報抽出手段（例えば、条件判定部３０７によって実現される）と、情報抽出手段によって抽出された適合提供情報を、通信ネットワークを介して携帯端末に送信する情報送信手段（例えば、配信情報送信部３１１によって実現される）とを備えたことを特徴とする。
【００１２】
配信希望条件は、情報提供者が配信を希望する時間（例えば、図５に示す希望配信時間）と、情報提供者が配信を希望する地域（例えば、図５に示す希望配信地域）と、配信する情報の種類（例えば、図５に示す広告分類情報）とを含み、配信決定条件は、現時刻の時間（例えば、図６に示す現在の時間）と、携帯端末の位置（例えば、図６に示す現在の位置）と、携帯端末のユーザが好む情報の種類（例えば、図６に示す嗜好情報）とに関する情報を含み、情報抽出手段は、情報提供者が配信を希望する時間と現時刻の時間との比較、情報提供者が配信を希望する地域と携帯端末の位置との比較、または配信する情報の種類と携帯端末のユーザが好む情報の種類との比較のうち、少なくとも１つの比較の結果によって、配信決定条件に配信希望条件が適合するか否かを判定するものであってもよい。そのような構成によれば、現時刻やユーザがいる場所等のユーザの状況や、ユーザが何を好むか等のユーザの嗜好に基づいて情報を抽出することができ、ユーザに適した情報をユーザの携帯端末に配信することができる。
【００１３】
情報配信システムは、提供情報に関する詳細な情報である詳細提供情報（例えば、広告実体情報）を記憶する詳細情報記憶手段（例えば、広告実体情報データベース４０によって実現される）と、詳細情報記憶手段が記憶する詳細提供情報を抽出する詳細情報抽出手段（例えば、広告実体情報抽出部３０９によって実現される）とを備え、詳細情報抽出手段は、情報抽出手段が抽出した適合提供情報に対応する詳細提供情報を詳細情報記憶手段から抽出し、情報送信手段は、情報抽出手段が抽出した適合提供情報とともに、詳細情報抽出手段が抽出した詳細提供情報を、通信ネットワークを介して携帯端末に送信するものであってもよい。そのような構成によれば、ユーザは、配信された情報のうち、必要な情報のみを選択して詳細な情報を利用することができる。
【００１４】
情報配信システムは、情報提供者が使用する情報提供者端末（例えば、広告主端末６０によって実現される）から、通信ネットワークを介して提供情報（例えば、動的広告識別情報）と詳細提供情報（例えば、動的広告実体情報）とを受信する提供情報受信手段（例えば、動的情報受信部１０１によって実現される）と、受信した提供情報に基づいて、情報記憶手段が記憶する情報を更新する提供情報更新手段（例えば、広告識別情報更新部１０２によって実現される）と、受信した詳細提供情報に基づいて、詳細情報記憶手段が記憶する情報を更新する詳細情報更新手段（例えば、広告実体情報更新部３５２によって実現される）とを備えたものであってもよい。そのような構成によれば、情報記憶手段及び詳細情報記憶手段が記憶する情報を、情報提供者が現時刻にユーザに提供することを希望する情報に更新することができる。
【００１５】
提供情報受信手段は、時間の経過に従って内容が変化する動的な情報を含む提供情報または詳細提供情報を、通信ネットワークを介して情報提供者端末から受信するものであってもよい。そのような構成によれば、時間の経過に従って内容が変化する動的な情報をユーザの携帯端末に配信することができる。
【００１６】
提供情報受信手段は、情報提供者がユーザに優先的に配信することを希望する旨の優先情報（例えば、図１１に示す優先度パラメータ情報「ｕ」）を含む提供情報を、通信ネットワークを介して情報提供者端末から受信し、情報抽出手段は、提供情報が優先情報を含む場合には、配信希望条件と配信決定条件とを比較して条件が適合するか否かを判定する際の判定基準を緩和するものであってもよい。そのような構成によれば、情報提供者が現時刻にユーザに提供することを希望する情報を、優先的にユーザの携帯端末に配信され易くすることができる。
【００１７】
情報抽出手段は、配信希望条件と配信決定条件とを比較する際に、配信する情報の種類と携帯端末のユーザが好む情報の種類との比較を行わないことによって、配信希望条件と配信決定条件とが適合するか否かの判定基準を緩和するものであってもよい。そのような構成によれば、ユーザの嗜好条件と適合しない場合であっても、情報提供者が現時刻にユーザに提供することを希望する情報を、優先的にユーザの携帯端末に配信され易くすることができる。
【００１８】
本発明による情報配信方法は、ユーザが使用する携帯端末に、情報提供者がユーザに提供することを希望する情報である提供情報を配信する情報配信方法であって、携帯端末から、通信ネットワークを介して、ユーザが配信を要求する情報の分類を示す分類情報を受信するステップと、分類情報に適合する提供情報を絞り込むステップと、絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出するステップと、抽出した適合提供情報を、通信ネットワークを介して携帯端末に送信するステップとを含むことを特徴とする。
【００１９】
本発明による情報配信プログラムは、ユーザが使用する携帯端末に、情報提供者がユーザに提供することを希望する情報である提供情報を配信するための情報配信プログラムであって、コンピュータに、携帯端末から、通信ネットワークを介して、ユーザが配信を要求する情報の分類を示す分類情報を受信する処理と、分類情報に適合する提供情報を絞り込む処理と、絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出する処理と、抽出した適合提供情報を、通信ネットワークを介して携帯端末に送信する処理とを実行させることを特徴とする。
【００２０】
【発明の実施の形態】
実施の形態１．
以下、本発明による情報配信システムの第１の実施の形態について図面を参照して説明する。図１は、情報配信サービスのサービス提供環境の例を示すブロック図である。本実施の形態では、情報配信システムとして、店舗等の広告情報をユーザに配信するシステムを例に説明を行う。なお、情報配信システムによって配信される情報は広告情報に限られない。
【００２１】
図１に示すように、本実施の形態においては、情報配信事業者の情報配信システム１００と、情報配信サービスのユーザ（以下、単にユーザと記す）が使用する携帯端末５０とが、インターネット１１０を介して接続される。なお、情報配信システム１００と、携帯端末５０とは、インターネット１１０以外の通信ネットワークに接続されるものであってもよい。また、インターネット１１０に接続される携帯端末５０は、３台に限られない。
【００２２】
携帯端末５０は、Ｗｅｂコンテンツを表示するためのブラウザ（ｂｒｏｗｓｅｒ  ）や電子メールを送受信するためのメーラ（ｍａｉｌｅｒ）等がインストールされた携帯電話機である。携帯端末５０は、位置管理モジュールを備える。位置管理モジュールは、携帯端末５０の位置を算出して位置情報を生成する。位置管理モジュールは、例えば、ＧＰＳ（Ｇｌｏｂａｌ  Ｐｏｓｉｔｉｏｎｉｎｇ  Ｓｙｓｔｅｍ  ）衛星から受信したＧＰＳ信号に基づいて、携帯端末５０の位置を算出して位置情報を生成する。
【００２３】
なお、携帯端末５０は、携帯電話機に限られない。ブラウザやメーラ等のインターネット接続機能を備えた端末であれば、携帯端末５０は、ＰＤＡ（ＰｅｒｓｏｎａｌＤｉｇｉｔａｌ  Ａｓｓｉｓｔａｎｔ）やカーナビゲーションシステム（ｃａｒ−ｎａｖｉｇａｔｉｏｎ  ｓｙｓｔｅｍ  ）の車載装置等であってもよい。また、位置管理モジュールは、ＧＰＳ以外の測位方式によって携帯端末５０の位置を算出するものであってもよい。
【００２４】
図２は、情報配信システム１００の構成の例を示すブロック図である。図２に示すように、情報配信システム１００は、後述する広告識別情報部分集合を抽出する識別情報抽出サーバ１０と、後述する広告識別情報を記憶する広告識別情報データベース２０と、携帯端末５０に情報を配信する情報配信サーバ３０と、後述する広告実体情報を記憶する広告実体情報データベース４０と、携帯端末５０からインターネット１１０を介して情報を受信する受信サーバ１５とを含む。
【００２５】
広告識別情報データベース２０は、識別情報抽出サーバ１０に接続される。広告実体情報データベース４０は、情報配信サーバ３０に接続される。識別情報抽出サーバ１０と、情報配信サーバ３０と、受信サーバ１５とは、ＬＡＮ（Ｌｏｃａｌ  Ａｒｅａ  Ｎｅｔｗｏｒｋ）に接続され、ＬＡＮを介して相互に情報を送受信する。なお、識別情報抽出サーバ１０と、情報配信サーバ３０と、受信サーバ１５とは、ケーブル等によって接続されているものであってもよい。また、広告識別情報データベース２０及び広告実体情報データベース４０は、ＬＡＮに接続されていてもよい。
【００２６】
受信サーバ１５は、Ｗｅｂサーバ等の情報処理装置によって実現される。受信サーバ１５は、携帯端末５０から、インターネット１１０を介して、後述するユーザが配信を要求する情報の分類としての要求項目の情報と、携帯端末５０の位置情報と、ユーザの嗜好情報とを受信する。嗜好情報とは、後述する広告リスト情報に基づいてリスト表示された各広告情報のうち、ユーザがいずれの情報を選択して利用したかを示す情報である。
【００２７】
識別情報抽出サーバ１０は、ユーザの要求項目を取得する要求項目受信部１１と、後述する広告識別情報部分集合を抽出する広告識別情報部分集合抽出部１２と、抽出した広告識別情報部分集合を情報配信サーバ３０に転送する広告識別情報部分集合送信部１３とを含む。
【００２８】
要求項目受信部１１は、受信サーバ１５から後述する要求項目の情報を受信する。広告識別情報部分集合抽出部１２は、受信した要求項目の情報に基づいて、広告識別情報データベース２０から後述する広告識別情報部分集合を絞り込んで抽出する。そして、広告識別情報部分集合送信部１３は、抽出した広告識別情報部分集合を情報配信サーバ３０に転送する。
【００２９】
識別情報抽出サーバ１０は、Ｗｅｂサーバ等の情報処理装置によって実現される。要求項目受信部１１及び広告識別情報部分集合送信部１３は、識別情報抽出サーバ１０の送受信部（ＬＡＮカード等）と、識別情報抽出サーバ１０の記憶装置に記憶されるプログラムに従って処理を実行する識別情報抽出サーバ１０の制御部とによって実現される。広告識別情報部分集合抽出部１２は、識別情報抽出サーバ１０の記憶装置に記憶されるプログラムに従って処理を実行する識別情報抽出サーバ１０の制御部によって実現される。
【００３０】
情報配信サーバ３０は、後述する広告識別情報部分集合を受信する広告識別情報部分集合受信部３０１と、時間情報を取得する時間取得部３０２と、携帯端末５０の位置情報を取得する位置取得部３０３と、ユーザの嗜好情報を取得するユーザ嗜好取得部３０４と、ユーザの嗜好情報を記憶するユーザ嗜好データベース３０６と、ユーザ嗜好データベース３０６に記憶されるユーザの嗜好情報を更新するユーザ嗜好学習部３０５と、後述する配信決定条件に適合する広告識別情報を抽出する条件判定部３０７と、後述する広告リスト情報を生成する広告リスト生成部３０８と、後述する広告実体情報を抽出する広告実体情報抽出部３０９と、配信情報を生成する配信情報生成部３１０と、配信情報を携帯端末５０に配信する配信情報送信部３１１とを含む。
【００３１】
広告識別情報部分集合受信部３０１は、識別情報抽出サーバ１０から広告識別情報部分集合を受信する。時間取得部３０２は、現時刻の時間情報を取得する。位置取得部３０３は、受信サーバ１５から携帯端末５０の位置情報を取得する。ユーザ嗜好取得部３０４は、受信サーバ１５から携帯端末５０のユーザの嗜好情報を取得する。ユーザ嗜好データベース３０６は、ユーザの嗜好情報を記憶するデータベースである。例えば、ユーザが中華料理を好む場合には、嗜好情報として「中華料理」がユーザ嗜好データベース３０６に記憶される。
【００３２】
ユーザ嗜好学習部３０５は、ユーザ嗜好取得部３０４が取得する嗜好情報に基づいてユーザの嗜好を判断し、ユーザ嗜好データベース３０６が記憶する情報を更新する。例えば、ユーザ嗜好データベース３０６に嗜好情報として予め「中華料理」と記憶されていても、ユーザ嗜好学習部３０５は、取得した新たな嗜好情報とユーザが過去に利用した情報の履歴とに基づいて、ユーザの現在の嗜好を判断する。ユーザが一定期間に渡って寿司屋に関する情報を高い頻度で利用している場合には、ユーザ嗜好学習部３０５は、ユーザが寿司を好むと判断する。そして、ユーザ嗜好データベース３０６に記憶される嗜好情報を「中華料理」から「寿司」に更新する。
【００３３】
条件判定部３０７は、位置取得部３０３からの携帯端末５０の位置情報と、時間取得部３０２からの現時刻の時間情報と、ユーザ嗜好データベース３０６に記憶されるユーザの嗜好情報とに基づいて配信決定条件情報を生成する。配信決定条件情報とは、広告情報が携帯端末５０にとって受信を希望する情報であるか否かを判断する判断基準となる配信決定条件（広告情報を実際に配信するか否か決定するための条件）を含む情報である。条件判定部３０７は、広告識別情報部分集合受信部３０１からの広告識別情報部分集合に含まれる配信希望条件情報（後述する）と配信決定条件情報とに基づいて、各広告識別情報の配信希望条件が配信決定条件に適合するか否かを判定する。条件判定部３０７は、広告識別情報部分集合に含まれる広告識別情報のうち、条件に適合する広告識別情報を抽出する。そして、条件判定部３０７は、抽出した広告識別情報を広告識別情報下位部分集合（後述する）として生成する。
【００３４】
広告リスト生成部３０８は、広告識別情報下位部分集合に含まれる各広告識別情報に基づいて、後述する広告リスト情報を生成する。広告実体情報抽出部３０９は、広告識別情報下位部分集合に含まれる各広告識別情報に対応する広告実体情報を、広告実体情報データベース４０から抽出する。配信情報生成部３１０は、広告リスト生成部３０８からの広告リスト情報と、広告実体情報抽出部３０９からの広告実体情報とに基づいて、後述する配信情報を生成する。そして、配信情報送信部３１１は、生成した配信情報を、インターネット１１０を介して携帯端末５０に送信する。
【００３５】
情報配信サーバ３０は、Ｗｅｂサーバ等の情報処理装置によって実現される。広告識別情報部分集合受信部３０１、位置取得部３０３、ユーザ嗜好取得部３０４、及び配信情報送信部３１１は、識別情報抽出サーバ１０の送受信部（ＬＡＮカード等）と、識別情報抽出サーバ１０の記憶装置に記憶されるプログラムに従って処理を実行する識別情報抽出サーバ１０の制御部とによって実現される。時間取得部３０２は、時刻信号を出力する時計等と、識別情報抽出サーバ１０の記憶装置に記憶されるプログラムに従って処理を実行する識別情報抽出サーバ１０の制御部によって実現される。ユーザ嗜好学習部３０５、条件判定部３０７、広告リスト生成部３０８、広告実体情報抽出部３０９、及び配信情報生成部３１０は、識別情報抽出サーバ１０の記憶装置に記憶されるプログラムに従って処理を実行する識別情報抽出サーバ１０の制御部によって実現される。また、ユーザ嗜好データベース３０６は、情報配信サーバ３０のデータベース装置によって実現される。なお、ユーザ嗜好データベース３０６は、情報配信サーバ３０に内蔵されるのでなく、情報配信サーバ３０に外部接続されるものであってもよい。
【００３６】
広告識別情報データベース２０及び広告実体情報データベース４０は、データベース装置によって実現される。なお、広告識別情報データベース２０は、識別情報抽出サーバ１０に外部接続されるのでなく、識別情報抽出サーバ１０に内蔵されるものであってもよい。また、広告実体情報データベース４０は、情報配信サーバ３０に外部接続されるのでなく、情報配信サーバ３０に内蔵されるものであってもよい。
【００３７】
情報記憶手段は、広告識別情報データベース２０によって実現される。要求項目受信手段は、受信サーバ１５によって実現される。情報絞込手段は、広告識別情報部分集合抽出部１２によって実現される。配信希望条件取得手段及び情報抽出手段は、条件判定部３０７によって実現される。配信決定条件取得手段は、時間取得部３０２と、位置取得部３０３と、ユーザ嗜好取得部３０４とによって実現される。情報送信手段は、配信情報送信部３１１によって実現される。詳細情報記憶手段は、広告実体情報データベース４０によって実現される。詳細情報抽出手段は、広告実体情報抽出部３０９によって実現される。
【００３８】
情報配信事業者は、予め広告主から、店舗等の特徴を抽出した情報である広告識別情報と、店舗等の詳細な実体的情報である広告実体情報との２種類の広告情報を収集する。広告識別情報データベース２０は、収集した広告情報のうち広告識別情報を記憶する。広告実体情報データベース４０は、収集した広告情報のうち広告実体情報を記憶する。
【００３９】
例えば、広告情報が店舗の情報である場合には、広告識別情報には、店舗名称、店舗の業態、店舗の場所、店舗の販売商品または提供サービス、店舗の営業時間等の情報が含まれる。また、広告識別情報には、ユーザが広告主にとって情報を配信したい相手であるか否かを判断する判断基準である配信希望条件情報が含まれる。配信希望条件情報には、希望配信時間と、希望配信地域と、広告分類情報とが含まれる。希望配信時間は、広告主が情報の配信を希望する時間である。希望配信地域は、広告主が情報の配信を希望する地域である。広告分類情報は、広告情報の詳細な分類を示す情報であり、例えば、「中華料理」や「和食」等の情報である。なお、配信希望条件情報は、プッシュ型ＴＰＯＣＡＳＴのコンテンツ側のＴＰＯ属性の条件としての役割を果たす。
【００４０】
また、広告情報が店舗の情報である場合には、広告実体情報には、広告識別情報と同様に、店舗名称、店舗の業態、店舗の場所、店舗の販売商品または提供サービス、店舗の営業時間等の情報が含まれる。さらに、広告実体情報には、これら店舗名称等の情報に加えて、店舗の外観画像、店舗の詳細内容、店舗周辺地図等の実体情報が含まれる。
【００４１】
広告識別情報及び広告実体情報は、一定期間内容が変更されない静的な情報である。広告識別情報及び広告実体情報は、広告主からの更新要求に応じて、一定期間毎に情報配信事業者が広告識別情報データベース２０に記憶される情報の内容を更新することによって書き換えられる。なお、予め広告主から広告識別情報と広告実体情報との２種類の広告情報を収集するのでなく、情報配信事業者が、収集した広告情報に基づいて広告識別情報と広告実体情報とを生成してもよい。
【００４２】
図３は、携帯端末５０に表示される要求項目リストの表示画面の例を示す説明図である。携帯端末５０は、図３に示す表示画面２１１を表示するためのＷｅｂコンテンツを、インターネット１１０を介して情報配信システム１００から取得する。そして、携帯端末５０は、取得したＷｅｂコンテンツに基づいて図３に示す表示画面２１１を表示する。図３に示すように、表示画面２１１には、要求項目Ａ２１２、要求項目Ｂ２１３、及び要求項目Ｃ２１４が含まれる。各要求項目には、ユーザが情報配信システム１００から取得したい情報の項目（おおまかな分類）が表示される。例えば、要求項目Ａ２１２には、「飲食店」と表示される。
【００４３】
図４は、広告識別情報データベース２０に記憶される広告識別情報全体集合の例を示す説明図である。図４に示すように、広告識別情報全体集合には、複数の広告識別情報が含まれる。また、広告識別情報は、図４に示すように、性質が共通するもの同士にクラス分けされて、広告識別情報データベース２０に記憶される。図４に示す例では、広告識別情報全体集合は、クラスＡ１２１、クラスＢ１２２、及びクラスＣ１２３の３つのクラスを含む。また、クラスＡ１２１は、広告識別情報Ａ１２４、広告識別情報Ｂ１２５、広告識別情報Ｃ１２６、及び広告識別情報Ｄ１２７の４つの広告識別情報を含む。以下、クラスに含まれる広告識別情報の集合を広告識別情報部分集合と記す。例えば、広告識別情報Ａ１２４、広告識別情報Ｂ１２５、広告識別情報Ｃ１２６、及び広告識別情報Ｄ１２７は、１つの広告識別情報部分集合を構成する。
【００４４】
例えば、広告識別情報Ａ１２４及び広告識別情報Ｂ１２５が「中華料理店」の広告識別情報であり、広告識別情報Ｃ１２６及び広告識別情報Ｄ１２７が「和食店」の広告識別情報である場合を考える。「中華料理店」及び「和食店」は「飲食店」として共通するので、広告識別情報Ａ１２４、広告識別情報Ｂ１２５、広告識別情報Ｃ１２６、及び広告識別情報Ｄ１２７は、「飲食店」のクラスであるクラスＡ１２１に分類されて記憶される。なお、広告識別情報は、１つのクラスのみに属するとは限らず、複数のクラスに属するものであってもよい。
【００４５】
図５は、図４に示す広告識別情報全体集合の具体例を示す説明図である。図５に示すように、本例では、広告識別情報全体集合には、クラス「飲食店」とクラス「宿泊」との２つのクラスが含まれる。例えば、クラス「飲食店」には、４つの広告識別情報１４１，１４２，１４３，１４４が含まれる。広告識別情報１４１、広告識別情報１４２、広告識別情報１４３、及び広告識別情報１４４は、１つの広告識別情報部分集合を構成する。
【００４６】
広告識別情報には、店舗名称と、希望配信時間と、希望配信地域と、広告分類情報とが含まれる。また、例えば、広告識別情報１４１において、希望配信時間「１１：００〜２０：００」と、希望配信地域「緯度○〜×、経度△〜□」と、広告分類情報「中華料理」とは、配信希望条件としての役割を果たす。なお、広告識別情報に含まれる情報は、本例に限らず、店舗の業態や店舗の場所等の他の情報を含んでいてもよい。
【００４７】
図６は、配信決定条件情報の例を示す説明図である。図６に示すように配信決定条件情報１４８は、現在の時間と、現在の位置と、嗜好情報との情報を含む。現在の時間は、時間取得部３０２から取得される現時刻の時間情報であり、本例では「１２：４８」である。現在の位置は、位置取得部３０３から取得される携帯端末５０の位置情報であり、本例では、「緯度：ＸＸ度、経度：ＹＹ度」である。嗜好情報は、ユーザ嗜好データベース３０６が記憶するユーザの嗜好情報である。本例では、嗜好情報には、飲食店、宿泊、及びショッピングに関する３つのユーザ嗜好の情報が含まれる。なお、配信決定条件情報は、プッシュ型ＴＰＯＣＡＳＴのユーザのＴＰＯ属性の条件としての役割を果たす。
【００４８】
次に、動作について説明する。図７は、情報配信の処理経過の例を示す流れ図である。携帯端末５０は、ユーザの操作に従って、情報配信システム１００からインターネット１１０を介して、図３に示す表示画面２１１のＷｅｂコンテンツを取得する。そして、携帯端末５０は、図３に示す表示画面２１１を表示する。ユーザは、表示画面２１１の各要求項目のうち取得したい情報の項目を選択する。
【００４９】
ユーザによって要求項目が選択されると、携帯端末５０は、インターネット１１０を介して、選択された要求項目の情報（以下、要求項目情報と記す）を情報配信システム１００の受信サーバ１５に送信する。また、携帯端末５０は、要求項目情報とともに、インターネット１１０を介して、携帯端末５０の位置情報を受信サーバ１５に送信する。
【００５０】
情報配信システム１００の受信サーバ１５は、インターネット１１０を介して、携帯端末５０から要求項目情報を受信する（ステップＳ１０）。識別情報抽出サーバ１０の要求項目受信部１１は、受信サーバ１５から要求項目情報を受信する。広告識別情報部分集合抽出部１２は、要求項目受信部１１からの要求項目情報に基づいて、ユーザの要求項目に対応する広告識別情報部分集合を広告識別情報データベース２０から絞り込んで抽出する（ステップＳ１１）。
【００５１】
例えば、図３に示す表示画面２１１の各要求項目のうち要求項目Ａ２１２がユーザによって選択された場合を説明する。広告識別情報部分集合抽出部１２は、要求項目情報に基づいて、要求項目Ａ２１２に対応する広告識別情報部分集合を広告識別情報データベース２０に記憶される広告識別情報全体集合から抽出する。本例では、図４に示す広告識別情報全体集合のうち、クラスＡ１２１に含まれる広告識別情報部分集合が要求項目Ａ２１２に対応するので、広告識別情報部分集合抽出部１２は、クラスＡ１２１に含まれる広告識別情報部分集合を抽出する。すなわち、広告識別情報部分集合抽出部１２は、広告識別情報Ａ１２４、広告識別情報Ｂ１２５、広告識別情報Ｃ１２６、及び広告識別情報Ｄ１２７を抽出する。
【００５２】
そして、広告識別情報部分集合送信部１３は、広告識別情報部分集合抽出部１２によって抽出された広告識別情報部分集合を、情報配信サーバ３０に転送する（ステップＳ１２）。
【００５３】
情報配信サーバ３０の広告識別情報部分集合受信部３０１は、識別情報抽出サーバ１０から広告識別情報部分集合を受信する。位置取得部３０３は、受信サーバ１５から携帯端末５０の位置情報を取得する。条件判定部３０７は、位置取得部３０３から携帯端末５０の位置情報を取得する。また、条件判定部３０７は、時間取得部３０２から現時刻の時間情報を取得する。また、条件判定部３０７は、ユーザ嗜好データベース３０６から、携帯端末５０のユーザに対応する嗜好情報を取得する。そして、条件判定部３０７は、位置情報、現時刻の時間情報、及び嗜好情報に基づいて、携帯端末５０のユーザの配信決定条件情報を生成する。
【００５４】
条件判定部３０７は、広告識別情報部分集合受信部３０１から広告識別情報部分集合を取得する。条件判定部３０７は、広告識別情報部分集合に含まれる各広告識別情報を抽出する。条件判定部３０７は、抽出した各広告識別情報に含まれる配信希望条件情報を抽出する。条件判定部３０７は、広告識別情報部分集合に含まれる広告識別情報のうち、抽出した配信希望条件情報と配信決定条件情報とに基づいて、配信希望条件が配信決定条件に適合する広告識別情報を抽出する。そして、条件判定部３０７は、抽出した各広告識別情報を広告識別情報下位部分集合として生成する（ステップＳ１３）。
【００５５】
例えば、図３に示す表示画面２１１において、要求項目の１つとして「飲食店」が表示されていて、ユーザによって要求項目「飲食店」が選択された場合を例に説明する。識別情報抽出サーバ１０の広告識別情報部分集合抽出部１２は、図５に示す広告識別情報全体集合のうち、クラス「飲食店」に含まれる広告識別情報部分集合を絞り込んで抽出する（ステップＳ１１）。本例では、図５に示すように、抽出した広告識別情報部分集合には、広告識別情報１４１、広告識別情報１４２、広告識別情報１４３、及び広告識別情報１４４が含まれる。広告識別情報部分集合送信部１３は、抽出した広告部分集合を広告識別情報部分集合受信部３０１に転送する（ステップＳ１２）。
【００５６】
条件判定部３０７は、位置取得部３０３から、携帯端末５０の位置情報（本例では、緯度：ＸＸ度、経度ＹＹ度）を取得する。また、条件判定部３０７は、時間取得部３０２から現時刻の時間情報（本例では、１２：４８）を取得する。また、ユーザ嗜好データベース３０６からユーザの嗜好情報（本例では、飲食店「中華料理」、宿泊「ビジネスホテル」、ショッピング「デパート」を取得する。そして、条件判定部３０７は、図６に示す、配信決定条件情報１４８を生成する。
【００５７】
条件判定部３０７は、広告識別情報部分集合受信部３０１から広告識別情報部分集合を取得し、広告識別情報部分集合に含まれる各広告識別情報を抽出する。本例では、条件判定部３０７は、図５に示す広告識別情報１４１、広告識別情報１４２、広告識別情報１４３、及び広告識別情報１４４を抽出する。条件判定部３０７は、各広告識別情報１４１，１４２，１４３，１４４に含まれる希望配信時間、希望配信地域、及び広告分類情報を配信希望条件情報として抽出する。そして、条件判定部３０７は、各広告識別情報１４１，１４２，１４３，１４４の配信希望条件情報と配信決定条件情報１４８とに基づいて、配信希望条件が配信決定条件に適合するか否かを判定する。
【００５８】
本例では、各広告識別情報１４１，１４２，１４３，１４４の希望配信時間については、配信決定条件の現在の時間「１２：４８」を範囲に含むので、全て配信決定条件に適合する。広告分類情報については、広告識別情報１４１及び広告識別情報１４２の広告分類情報「中華料理」が配信決定条件情報１４８の嗜好情報の飲食店「中華料理」と一致するので、配信決定条件に適合する。そして、広告識別情報１４１及び広告識別情報１４２の希望配信地域が配信決定条件情報１４８の現在の位置の範囲内であれば、条件判定部３０７は、広告識別情報１４１及び広告識別情報１４２を抽出し、広告識別情報下位部分集合として生成する（ステップＳ１３）。
【００５９】
広告リスト生成部３０８は、条件判定部３０７からの広告識別情報下位部分集合に基づいて広告リスト情報を生成する（ステップＳ１４）。広告リスト情報は、携帯端末５０の表示部に各広告をリスト表示させるための情報である。ステップＳ１４で、広告リスト生成部３０８は、広告識別情報下位部分集合に含まれる各広告識別情報から店舗名称、店舗の業態、店舗の場所、店舗の販売商品または提供サービス、店舗の営業時間等の情報を抽出する。そして、広告リスト生成部３０８は、これら店舗名称等の情報を各広告毎にリスト形式に編集して広告リスト情報を生成する。
【００６０】
広告実体情報抽出部３０９は、条件判定部３０７からの広告識別情報下位部分集合に含まれる各広告識別情報を抽出する。そして、広告実体情報抽出部３０９は、抽出した各広告識別情報に対応する広告実体情報を、広告実体情報データベース４０から抽出する（ステップＳ１５）。
【００６１】
配信情報生成部３１０は、広告リスト生成部３０８からの広告リスト情報と、広告実体情報抽出部３０９からの広告実体情報とに基づいて、配信情報を生成する（ステップＳ１６）。ステップＳ１６で、配信情報生成部３１０は、広告リスト情報に含まれる店舗等の各広告にそれぞれの広告実体情報を対応付けて配信情報を生成する。そして、配信情報送信部３１１は、配信情報生成部３１０からの配信情報を、インターネット１１０を介して携帯端末５０に送信する（ステップＳ１７）。
【００６２】
携帯端末５０は、情報配信システム１００の情報配信サーバ３０から、インターネット１１０を介して配信情報を受信する。そして、携帯端末５０は、受信した配信情報に基づいて広告リストを表示する。携帯端末５０のユーザは、表示された広告リストの中から詳細な情報を取得したい広告を選択する。ユーザによって広告が選択されると、携帯端末５０は、選択された広告に対応する広告実体情報に基づいて、店舗の外観画像、店舗の詳細内容、店舗周辺地図等の実体情報を表示する。そして、表示された実体情報を見た結果、店舗の商品を購入したりサービスの提供を受けたいと判断した場合には、ユーザは、その広告の店舗に行って商品を購入したりサービスの提供を受ける。
【００６３】
ユーザが移動して携帯端末５０から新しい位置情報を受信するタイミングで、情報配信サーバ３０は、配信決定条件情報を更新し、更新後の配信決定条件情報に基づいて広告識別情報下位部分集合を抽出する。情報配信サーバ３０は、新たな広告識別情報下位部分集合に基づいて新たな配信情報を生成する。そして、情報配信サーバ３０は、インターネット１１０を介して携帯端末５０に新たな配信情報を送信する。また、予め定めた一定時間毎のタイミングで、情報配信サーバ３０が更新後の配信決定条件情報に基づいて新たな配信情報を生成し、携帯端末５０に送信するようにしてもよい。
【００６４】
以上のように、本実施の形態によれば、現時刻でのユーザの要求に適合する広告情報を抽出する。そして、抽出した広告情報のうち、時間、位置、ユーザ嗜好の条件に適合する広告情報を絞り込んで抽出し、配信情報として携帯端末に配信する。すなわち、時間、位置、ユーザ嗜好についての条件判断だけでなく、ユーザの現時刻での要求を考慮して抽出した情報を配信する。そのため、ユーザの現時刻での要求に応じて、ユーザの状況や嗜好に適した情報を、ユーザの携帯端末に配信することができる。従って、ユーザが配信された広告情報を元に広告の店舗等を利用して、商品を購入したりサービスの提供を受ける可能性が高くなる。
【００６５】
なお、本実施の形態では、時間、位置、ユーザ嗜好の３つの条件に基づいて広告識別情報が配信決定条件に適合するか否かを判断する場合を説明したが、条件に適合するか否かの判断の基準は、本実施の形態で示した例に限られない。例えば、時間、位置、ユーザ嗜好のうちの１つまたはいずれか２つの条件に基づいて判断してもよい。
【００６６】
実施の形態２．
次に、本発明による情報配信システムの第２の実施の形態について図面を参照して説明する。図８は、本実施の形態における情報配信サービスのサービス提供環境の例を示すブロック図である。図８に示すように、本実施の形態では、第１の実施の形態で示した構成に加えて、広告主が使用する広告主端末６０がインターネット１１０を介して接続される。なお、インターネット１１０に接続される広告主端末６０は、３台に限られない。
【００６７】
広告主端末６０は、ブラウザやメーラ等がインストールされたパーソナルコンピュータ等の情報処理端末である。携帯端末５０の機能及び構成は、第１の実施の形態と同様である。
【００６８】
図９は、情報配信システム１００の構成の例を示すブロック図である。図２に示すように、情報配信システム１００は、第１の実施の形態と同様に、識別情報抽出サーバ１０と、広告識別情報データベース２０と、情報配信サーバ３０と、広告実体情報データベース４０と、受信サーバ１５とを含む。
【００６９】
識別情報抽出サーバ１０は、第１の実施の形態で示した構成に加えて、広告主端末６０から後述する動的広告情報を受信する動的情報受信部１０１と、広告識別情報データベース２０が記憶する情報を更新する広告識別情報更新部１０２と、情報配信サーバ３０に後述する動的広告実体情報を転送する動的広告実体情報送信部１０３とを含む。
【００７０】
動的情報受信部１０１は、広告主端末６０から、インターネット１１０を介して動的広告情報を受信する。動的広告情報とは、広告情報の内容が時間の経過に伴って変化する情報である。動的広告情報は、例えば、ホテルの空室情報、劇場の空席情報、交通機関の空席情報、店舗のタイムサービス等の情報である。なお、受信サーバ１５が、広告主端末６０から、インターネット１１０を介して動的広告情報を受信するようにしてもよい。そして、識別情報抽出サーバ１０は、受信サーバ１５から動的広告情報を取得してもよい。
【００７１】
動的広告情報は、店舗等の特徴を抽出した情報である動的広告識別情報と、店舗等の詳細な実体的情報である動的広告実体情報とを含む。動的広告識別情報は、第１の実施の形態で示した広告識別情報に含まれる情報に加えて、優先度パラメータ情報を含む。優先度パラメータ情報とは、通常の広告識別情報よりも優先度が高い情報であることを示すパラメータ情報である。動的広告実体情報は、第１の実施の形態における広告実体情報と同様に、例えば、店舗の外観画像、店舗の詳細内容、店舗周辺地図等の実体情報が含まれる。
【００７２】
なお、動的広告識別情報と動的広告実体情報との２種類の情報を広告主端末６０から受信するのでなく、動的広告情報を受信した後に、情報配信事業者が、受信した動的広告情報に基づいて動的広告識別情報と動的広告実体情報とを生成してもよい。
【００７３】
広告識別情報更新部１０２は、受信した動的広告情報のうち動的広告識別情報に基づいて、広告識別情報データベース２０が記憶する広告識別情報全体集合の内容を更新する。動的広告実体情報送信部１０３は、受信した動的広告情報のうち動的広告実体情報を、情報配信サーバ３０に転送する。
【００７４】
情報配信サーバ３０は、第１の実施の形態で示した構成に加えて、識別情報抽出サーバ１０から動的広告実体情報を受信する動的広告実体情報受信部３５１と、広告実体情報データベース４０が記憶する情報を更新する広告実体情報更新部３５２とを含む。
【００７５】
動的広告実体情報受信部３５１は、識別情報抽出サーバ１０から動的広告実体情報を受信する。広告実体情報更新部３５２は、動的広告実体情報受信部３５１からの動的広告実体情報に基づいて、広告実体情報データベース４０が記憶する広告実体情報を更新する。
【００７６】
広告識別情報データベース２０、広告実体情報データベース４０、及び受信サーバ１５の構成は、第１の実施の形態と同様である。
【００７７】
提供情報受信手段は、動的情報受信部１０１によって実現される。提供情報更新手段は、広告識別情報更新部１０２によって実現される。詳細情報更新手段は、広告実体情報更新部３５２によって実現される。
【００７８】
図１０は、本実施の形態において、広告識別情報データベース２０に記憶される更新後の広告識別情報全体集合の例を示す説明図である。図１０に示す広告識別情報全体集合は、識別情報抽出サーバ１０が広告主端末６０から動的広告情報を受信して、後述するデータベースの更新処理が実行された後の広告識別情報全体集合である。図１０に示すように、更新後の広告識別情報全体集合の構成は第１の実施の形態と同様であるが、広告識別情報全体集合には、通常の広告識別情報に加えて動的広告識別情報が含まれる。例えば、図１０に示す例では、クラスＡ１２１には、通常の広告識別情報１２５，１２６，１２７に加えて、動的広告識別情報Ａ（ｕ）１３１が含まれる。
【００７９】
図１１は、図１０に示す広告識別情報全体集合の具体例を示す説明図である。図１１に示すように、広告識別情報全体集合の構成は第１の実施の形態と同様であるが、動的広告識別情報１４５は、店舗名称、希望配信時間、希望配信地域、及び広告分類情報に加えて優先度パラメータ情報「ｕ」を含む。
【００８０】
次に、動作について説明する。広告識別情報データベース２０及び広告実体情報データベース４０が記憶する情報の更新処理の動作について説明する。図１２は、広告識別情報データベース２０及び広告実体情報データベース４０の更新処理の処理経過の例を示す流れ図である。ホテルの空室情報等、広告主にとって現時刻において提供したいサービス等の情報が発生すると、広告主端末６０は、広告主の操作に従って、インターネット１１０を介して動的広告情報を識別情報抽出サーバ１０に送信する。
【００８１】
識別情報抽出サーバ１０の動的情報受信部１０１は、広告主端末６０から、インターネット１１０を介して動的広告情報を受信する（ステップＳ２０）。広告識別情報更新部１０２は、動的情報受信部１０１から動的広告情報に含まれる動的広告識別情報を取得する。そして、広告識別情報更新部１０２は、動的広告識別情報に基づいて、広告識別情報データベース２０が記憶する広告識別情報全体集合を更新する（ステップＳ２１）。
【００８２】
例えば、広告識別情報データベース２０が図４に示す広告識別情報全体集合を記憶している場合について説明する。広告主端末６０から受信した動的広告情報に動的広告識別情報Ａ（ｕ）１３１が含まれていた場合には、広告識別情報更新部１０２は、動的広告識別情報Ａ（ｕ）１３１が図４に示す情報のうち、いずれの広告識別情報に対応する情報であるかを判断する。本例では、動的広告識別情報Ａ（ｕ）１３１は広告識別情報Ａ１２４に対応するので、広告識別情報更新部１０２は、図１０に示すように、広告識別情報Ａ１２４を動的広告識別情報Ａ（ｕ）に更新する（ステップＳ２１）。
【００８３】
動的広告実体情報送信部１０３は、動的情報受信部１０１から動的広告情報に含まれる動的広告実体情報を取得する。そして、動的広告実体情報送信部１０３は、動的広告実体情報を情報配信サーバ３０に転送する（ステップＳ２２）。
【００８４】
情報配信サーバ３０の動的広告実体情報受信部３５１は、識別情報抽出サーバ１０から動的広告実体情報を受信する。広告実体情報更新部３５２は、動的広告実体情報受信部３５１からの動的広告実体情報に基づいて、広告実体情報データベース４０が記憶する広告実体情報を更新する（ステップＳ２３）。
【００８５】
例えば、広告実体情報更新部３５２は、広告実体情報データベース４０が記憶する広告実体情報のうち、図４に示す広告識別情報Ａ１２４に対応する広告実体情報を選択する。そして、広告実体情報更新部３５２は、選択した広告実体情報を、動的広告実体情報受信部３５１からの動的広告実体情報に更新する（ステップＳ２３）。
【００８６】
以上のように、広告主にとって現時刻において販売したい商品や提供したいサービス等の動的広告情報が発生した場合に、広告識別情報データベース２０及び広告実体情報データベース４０が記憶する広告情報の内容を更新することができる。
【００８７】
次に、本実施の形態における情報配信処理の動作について説明する。本実施の形態において、識別情報抽出サーバ１０が、広告識別情報部分集合を抽出して情報配信サーバ３０に転送する処理は、第１の実施の形態におけるステップＳ１０からステップＳ１２までの処理と同様である。
【００８８】
図７のステップＳ１３において、条件判定部３０７は、第１の実施の形態と同様に配信決定条件情報を生成する。条件判定部３０７は、広告識別情報部分集合に含まれる各広告識別情報を抽出する際に、抽出した各広告識別情報に優先度パラメータ情報「ｕ」が含まれるか否か判断する。
【００８９】
優先度パラメータ情報「ｕ」が含まれていない場合（すなわち、通常の広告識別情報である場合）には、条件判定部３０７は、第１の実施の形態と同様に、配信希望条件情報及び配信決定条件情報に含まれる全ての条件に基づいて、条件に適合する広告識別情報を抽出する。優先度パラメータ情報「ｕ」が含まれている場合（すなわち、動的広告識別情報である場合）には、条件判定部３０７は、配信希望条件情報に含まれる希望配信時間及び希望配信地域と、配信決定条件情報に含まれる現在の時間及び現在の位置とに基づいて、条件に適合する広告識別情報を抽出する。条件判定部３０７は、配信希望条件情報に含まれる広告分類情報が配信決定条件情報に含まれる嗜好情報に適合するか否かの判断は行わない。すなわち、配信希望条件と配信決定条件との適合の条件が緩和される。そして、条件判定部３０７は、抽出した各広告識別情報（動的広告識別情報を含む）を広告識別情報下位部分集合として生成する。
【００９０】
例えば、図３に示す表示画面２１１において、要求項目の１つとして「宿泊」が表示されていて、ユーザによって要求項目「宿泊」が選択された場合を例に説明する。識別情報抽出サーバ１０の広告識別情報部分集合抽出部１２は、図１１に示す広告識別情報全体集合から、クラス「宿泊」に含まれる広告識別情報部分集合を絞り込んで抽出する（ステップＳ１１）。本例では、図１１に示すように、抽出した広告部分集合には、動的広告識別情報１４５、広告識別情報１４６、及び広告識別情報１４７が含まれる。
【００９１】
条件判定部３０７は、広告識別情報部分集合を取得すると、広告識別情報部分集合に含まれる各広告識別情報（動的広告識別情報を含む）を抽出する。条件判定部３０７は、抽出した各広告識別情報に優先度パラメータ情報「ｕ」が含まれるか否かを判断する。本例では、図１１に示すように、動的広告識別情報１４５は、「ＥＥホテル」での空室情報等の動的情報であり、優先度パラメータ情報「ｕ」を含む。従って、条件判定部３０７は、動的広告識別情報１４５については、配信希望条件情報の希望配信時間及び希望配信地域と、配信決定条件情報の現在の時間及び現在の位置とに基づいて、条件に適合するか否かを判断する。配信希望条件情報の広告分類情報が配信決定条件情報の嗜好情報に適合するか否かの判断は行わない。
【００９２】
本例では、動的広告識別情報１４５の希望配信時間は、図６に示す配信決定条件情報の現在の時間「１２：４８」を含む。よって、希望配信地域が図６に示す現在の位置「緯度：ＸＸ度、経度：ＹＹ度」を含めば、条件判定部３０７は、動的広告識別情報１４５を抽出する。従って、動的広告識別情報１４５の広告分類情報「シティホテル」は図６に示す嗜好情報の宿泊「ビジネスホテル」と適合しないが、適合条件が緩和されて、条件判定部３０７は、動的広告識別情報１４５を抽出する。
【００９３】
広告識別情報１４６及び広告識別情報１４７については、ともに希望配信時間が図６に示す現在の時間「１２：４８」を含み、ともに広告分類情報「ビジネスホテル」が図６に示す嗜好情報の宿泊「ビジネスホテル」に適合する。よって、希望配信地域と図６に示す現在の位置とが適合すれば、条件判定部３０７は、広告識別情報１４６及び広告識別情報１４７を抽出する。そして、条件判定部３０７は、動的広告識別情報１４５、広告識別情報１４６、及び広告識別情報１４７を広告識別情報下位部分集合として生成する。
【００９４】
広告リスト生成部３０８は、第１の実施の形態と同様に広告リスト情報を生成する（ステップＳ１４）。広告リスト情報を生成する際に、広告リスト生成部３０８は、広告識別情報下位部分集合に含まれる各広告識別情報（動的広告識別情報を含む）のうち優先度パラメータ情報「ｕ」を含む情報があるか否かを判断する。そして、優先度パラメータ情報「ｕ」を含む情報が含まれる場合には、広告リスト生成部３０８は、その広告識別情報は動的広告識別情報であると判断して、リストの最上位に表示されるように広告リスト情報を生成する（ステップＳ１４）。
【００９５】
広告実体情報抽出部３０９は、広告識別情報下位部分集合に基づいて、広告実体情報データベース４０から、広告実体情報（動的広告実体情報を含む）を抽出する（ステップＳ１６）。なお、広告識別情報が動的広告識別情報である場合において、広告実体情報抽出部３０９が広告実体情報データベース４０から動的広告実体情報を抽出する手順は、第１の実施の形態における通常の広告実体情報を抽出する手順と同様である。
【００９６】
配信情報生成部３１０は、第１の実施の形態と同様に、配信情報を生成する（ステップＳ１６）。そして、配信情報送信部３１１は、第１の実施の形態と同様に、配信情報を、インターネット１１０を介して携帯端末５０に送信する（ステップＳ１７）。
【００９７】
以上のように、本実施の形態によれば、広告主が現時刻において販売したい商品や提供したいサービス等の時間の経過に従って内容が変化する動的な広告情報を反映して、広告識別情報データベース２０及び広告実体情報データベース４０が記憶する情報を更新する。また、配信希望条件と配信決定条件とを照合する際に、動的な広告情報については、適合条件を緩和して判定を行う。従って、情報提供者が現時刻にユーザに提供することを希望する情報を、優先的にユーザの携帯端末に配信され易くすることができる。
【００９８】
なお、本実施の形態においては、情報配信システム１００の識別情報抽出サーバ１０が広告主端末６０とインターネット１１０を介して接続される場合を例に説明したが、動的広告情報の収集方法は、本例で示した場合に限られない。例えば、情報配信事業者とは別の事業者のシステムが、広告主端末６０とインターネット１１０を介して接続されていてもよい。そして、情報配信システム１００は、別の事業者のシステムによって収集された動的広告情報を受信するようにしてもよい。
【００９９】
また、第１の実施の形態及び第２の実施の形態において、識別情報抽出サーバ１０と情報配信サーバ３０との機能は、１台の情報処理装置によって実現されるものであってもよい。また、識別情報抽出サーバ１０、情報配信サーバ３０、及び受信サーバ１５の機能が、１台の情報処理装置によって実現されるものであってもよい。
【０１００】
また、第１の実施の形態及び第２の実施の形態において、受信サーバ１５はなくてもよい。例えば、識別情報抽出サーバ１０が、携帯端末５０から、インターネット１１０を介して直接に要求項目情報を受信してもよい。また、情報配信サーバ３０が、携帯端末５０から、インターネット１１０を介して直接に携帯端末５０の位置情報及びユーザの嗜好情報を受信してもよい。
【０１０１】
また、第１の実施の形態及び第２の実施の形態において、携帯端末５０は、情報配信システム１００からＷｅｂコンテンツを取得する以外の方法で、図３に示す表示画面２１１を表示するものであってもよい。例えば、携帯端末５０は、表示画面２１１を表示するための専用のソフトウェアがインストールされているものであってもよい。
【０１０２】
なお、図２及び図９に示した構成は、ソフトウェアによって実現可能である。すなわち、第１の実施の形態及び第２の実施の形態では、コンピュータに、携帯端末から、通信ネットワークを介して、ユーザが配信を要求する情報の分類を示す分類情報を受信する処理と、分類情報に適合する提供情報を絞り込む処理と、絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出する処理と、抽出した適合提供情報を、通信ネットワークを介して携帯端末に送信する処理とを実行させるための情報配信プログラムによって、情報配信システムまたは情報配信方法を実現可能である。
【０１０３】
【発明の効果】
本発明による情報配信システムによれば、情報提供者がユーザに提供することを希望する情報である提供情報を記憶する情報記憶手段と、ユーザが使用する携帯端末から、通信ネットワークを介して、ユーザが配信を要求する情報の分類を示す分類情報を受信する分類情報受信手段と、分類情報に適合する提供情報を情報記憶手段から絞り込む情報絞込手段と、情報絞込手段によって絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出する情報抽出手段と、情報抽出手段によって抽出された適合提供情報を、通信ネットワークを介して携帯端末に送信する情報送信手段とを備えるように構成したので、ユーザの現時刻での要求に応じて、ユーザの状況や嗜好に適した情報を、ユーザの携帯端末に配信することができる。従って、ユーザが配信された情報を元に、商品を購入したりサービスの提供を受ける可能性が高くなる。
【０１０４】
本発明による情報配信方法によれば、携帯端末から、通信ネットワークを介して、ユーザが配信を要求する情報の分類を示す分類情報を受信するステップと、分類情報に適合する提供情報を絞り込むステップと、絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出するステップと、抽出した適合提供情報を、通信ネットワークを介して携帯端末に送信するステップとを含むので、ユーザの現時刻での要求に応じて、ユーザの状況や嗜好に適した情報を、ユーザの携帯端末に配信することができる。従って、ユーザが配信された情報を元に、商品を購入したりサービスの提供を受ける可能性が高くなる。
【０１０５】
本発明による情報配信プログラムによれば、コンピュータに、携帯端末から、通信ネットワークを介して、ユーザが配信を要求する情報の分類を示す分類情報を受信する処理と、分類情報に適合する提供情報を絞り込む処理と、絞り込まれた提供情報を対象として、情報提供者が提供情報の配信に関して希望する条件である配信希望条件と提供情報を配信するか否か決定する条件である配信決定条件とを比較し、配信決定条件に配信希望条件が適合する提供情報を適合提供情報として抽出する処理と、抽出した適合提供情報を、通信ネットワークを介して携帯端末に送信する処理とを実行させるので、ユーザの現時刻での要求に応じて、ユーザの状況や嗜好に適した情報を、ユーザの携帯端末に配信することができる。従って、ユーザが配信された情報を元に、商品を購入したりサービスの提供を受ける可能性が高くなる。
【図面の簡単な説明】
【図１】情報配信サービスのサービス提供環境の一例を示すブロック図である。
【図２】情報配信システムの構成の一例を示すブロック図である。
【図３】携帯端末に表示される表示画面の例を示す説明図である。
【図４】広告識別情報全体集合の一例を示す説明図である。
【図５】広告識別情報全体集合の具体例を示す説明図である。
【図６】配信決定条件情報の例を示す説明図である。
【図７】情報配信の処理経過の例を示す流れ図である。
【図８】情報配信サービスのサービス提供環境の他の例を示すブロック図である。
【図９】情報配信システムの構成の他の例を示すブロック図である。
【図１０】広告識別情報全体集合の他の例を示す説明図である。
【図１１】広告識別情報全体集合の他の具体例を示す説明図である。
【図１２】データベースの更新の処理経過の例を示す流れ図である。
【符号の説明】
１０  識別情報抽出サーバ
１１  要求項目受信部
１２  広告識別情報部分集合抽出部
１３  広告識別情報部分集合送信部
２０  広告識別情報データベース
３０  情報配信サーバ
３０１  広告識別情報部分集合受信部
３０２  時間取得部
３０３  位置取得部
３０４  ユーザ嗜好取得部
３０５  ユーザ嗜好学習部
３０６  ユーザ嗜好データベース
３０７  条件判定部
３０８  広告リスト生成部
３０９  広告実体情報抽出部
３１０  配信情報生成部
３１１  配信情報送信部
４０  広告実体情報データベース
５０  携帯端末
１００  情報配信システム
【図１】
2004192284.tif 000003
【図２】
2004192284.tif 000004
【図３】
2004192284.tif 000005
【図４】
2004192284.tif 000006
【図５】
2004192284.tif 000007
【図６】
2004192284.tif 000008
【図７】
2004192284.tif 000009
【図８】
2004192284.tif 000010
【図９】
2004192284.tif 000011
【図１０】
2004192284.tif 000012
【図１１】
2004192284.tif 000013
【図１２】
2004192284.tif 000014